(57)【要約】【課題】  利用者の皮膚や衣服などに悪影響を与えずに、汚れの発生を抑制することのできる時計用外装部品、時計及び装身具を提供する。【解決手段】  本発明の時計用外装部品１０１，１０３は、時計として構成されたときに凹状の表面部分となるべき領域１０１ｅ，１０３ｅに限定された露出範囲を備えた光触媒層１０８を有することを特徴とする。また、利用者に装着される携帯時計を構成する時計用外装部品であって、時計の凹状の表面部分となるべき領域１０１ｅ，１０３ｅに露出範囲を備えた光触媒層１０８を有し、装着時において常時利用者と接触する他の表面部分には光触媒層が少なくとも露出していないことを特徴とする。【選択図】  図３
2005241636.tif 000002
【特許請求の範囲】
【請求項１】
利用者に装着される携帯時計を構成する時計用外装部品であって、時計として構成されたときに凹状の表面部分となる領域に露出範囲を備えた光触媒層を有し、装着時において利用者と接触する他の表面部分には前記光触媒層が少なくとも露出していないことを特徴とする時計用外装部品。
【請求項２】
前記凹状の表面部分は、通常の使用態様では利用者と接触しない部分であることを特徴とする請求項１に記載の時計用外装部品。
【請求項３】
前記他の表面部分には前記光触媒層が形成されていないことを特徴とする請求項１に記載の時計用外装部品。
【請求項４】
前記他の表面部分の少なくとも一部には前記光触媒層が形成され、当該光触媒層は前記他の表面部分において光触媒機能を有しない保護膜で覆われていることを特徴とする請求項１に記載の時計用外装部品。
【請求項５】
前記凹状の表面部分は、装着バンドを構成する駒部品の連結側の端面部分であることを特徴とする請求項１乃至４のいずれか一項に記載の時計用外装部品。
【請求項６】
前記凹状の表面部分は、裏蓋の外縁部分であることを特徴とする請求項１乃至４のいずれか一項に記載の時計用外装部品。
【請求項７】
前記凹状の表面部分は、時計ケースにおける裏蓋取付部に対して外周側に隣接する部分であることを特徴とする請求項１乃至４のいずれか一項に記載の時計用外装部品。
【請求項８】
前記凹状の表面部分は、リュウズにおける時計ケースに対向配置される内側面部分であることを特徴とする請求項１乃至４のいずれか一項に記載の時計用外装部品。
【請求項９】
前記凹状の表面部分は、他の部品が対向する突合せ面であることを特徴とする請求項１乃至４のいずれか一項に記載の時計用外装部品。
【請求項１０】
前記光触媒層は酸化チタンで構成されていることを特徴とする請求項１乃至９のいずれか一項に記載の時計用外装部品。
【請求項１１】
請求項１乃至１０のいずれか一項に記載の時計用外装部品を備えた時計。
【請求項１２】
前記時計用外装部品の間に防水パッキンが配置され、該防水パッキンの当接部分には前記光触媒層が形成されていないことを特徴とする請求項１１に記載の時計。
【請求項１３】
利用者に装着される装身具であって、凹状の表面部分に露出範囲を備えた光触媒層を有し、装着時において利用者と接触する他の表面部分には前記光触媒層が少なくとも露出していないことを特徴とする装身具。
【請求項１４】
前記凹状の表面部分は、通常の使用態様では利用者と接触しない部分であることを特徴とする請求項１３に記載の装身具。
【発明の詳細な説明】
【技術分野】
【０００１】
本発明は時計用外装部品、時計及び装身具に係り、特に、光触媒層を備えた物品の構造に関する。
【背景技術】
【０００２】
一般に、時計本体と装着バンドを有する腕時計が市販されているが、この腕時計を装着し続けると、外装部品の表面には、垢、汗、ほこり、油などが付着し、これらの汚れにより外観が悪くなったり、細菌が繁殖して皮膚に炎症を生じさせたり、悪臭が生じたりする場合がある。
【０００３】
このため、従来から、腕時計の外装部品の表面に光触媒層を設けることが提案されている（例えば、以下の特許文献１及び２参照）。これらの提案では、酸化チタンなどの光触媒層を部品表面に設けることで、光が外装部品に当たると、光触媒層の有機物分解作用によって汚れが分解除去されるようになっている。
【特許文献１】特開２００１−１１６８５８号公報（特許請求の範囲、段落０００３など）
【特許文献２】特開平０８−６６２１０号公報（特許請求の範囲、段落０００１、０００８、０００９など）
【発明の開示】
【発明が解決しようとする課題】
【０００４】
しかしながら、前述のように光触媒層を設けた腕時計では、利用者の皮膚に外装部品に設けられた光触媒層が直接接触することにより、長時間装着していると、皮膚が光触媒作用によって影響を受け、肌荒れなどを引き起こす恐れがある。また、直接皮膚に接触しなくても、衣服などに長時間接触した状態では、その衣服の接触部分が光触媒作用によって損傷を受ける恐れがあった。
【０００５】
また、腕時計の外表面のうち、皮膚や衣服に長時間接触する部位では、擦れなどによって光触媒層が摩滅したり剥離したりすることがあるため、光触媒層が部分的に消失することにより外観が悪化するという問題点もある。
【０００６】
そこで、本発明は上記問題点を解決するものであり、その課題は、光触媒作用によって利用者の皮膚や衣服などに悪影響を与えずに、汚れの発生を抑制することのできる時計用外装部品、時計及び装身具を提供することにある。
【課題を解決するための手段】
【０００７】
斯かる実情に鑑み、本発明の時計用外装部品は、時計として構成されたときに凹状の表面部分となる領域に露出範囲が限定された光触媒層を有することを基本とする。
【０００８】
この発明によれば、時計として構成されたときに凹状の表面部分となる領域に露出範囲が限定された光触媒層を有することにより、汚れがたまりやすく且つ汚れを落としにくい凹状の表面部分に汚れが付着しにくくなるので、清浄性を保つことができ、しかも、光触媒層は限定された露出範囲を備えているため、利用者の肌や衣服が光触媒層に接触して悪影響を受ける可能性を低減できる。また、凹状の表面部分となるべき領域にのみ光触媒層の露出範囲を設ける場合には、擦れなどによって摩滅したり剥離したりする部分に光触媒層が露出しないように構成できるので、光触媒層が部分的に消失することによる時計の外観に与える影響も少なくなる。
【０００９】
ここで、時計として構成されたときに凹状の表面部分となる領域とは、その時計用外装部品等が組み立てられることにより構成された時計の外観を呈する外観表面のうち、凹状の表面部分の少なくとも一部となる領域を言う。したがって、上記領域は、時計用外装部品自体に設けられた凹状の表面部分であってもよく、また、時計用外装部品単体としては凹状の表面部分とはならないが、組み立てられて時計となったときに凹状の表面部分の一部を構成することとなる部分であってもよい。さらに、凹状の表面部分とは、凹溝、孔、穴、突合せ部などであって、外光が入射可能な部分を言う。特に、利用者の指が接触できない程度に凹状に構成されている表面部分であることが望ましい。また、上記の領域に露出範囲が限定された光触媒層とは、当該領域に限定して形成された光触媒層であってもよく、また、それ自体は当該領域に限定して形成されているわけではないが、その露出部分が上記領域に限定されている光触媒層であってもよい。また、本発明においては、上記領域に限定して形成された光触媒層が存在すればよく、上記領域以外の領域に部分的に他の光触媒層が存在していても構わない。
【００１０】
また、本発明の別の時計用外装部品は、利用者に装着される携帯時計を構成する時計用外装部品であって、時計として構成されたときに凹状の表面部分となる領域に露出範囲を備えた光触媒層を有し、装着時において常時利用者と接触する他の表面部分には前記光触媒層が少なくとも露出していないことを特徴とする。例えば、凹状の表面部分に前記光触媒層が形成されるものであるが、その光触媒層装着は、利用者が常時は接触しな凹状内方の表面部分に形成されるものである。
【００１１】
この発明によれば、時計として構成されたときに凹状の表面部分となる領域に露出範囲を備えた光触媒層を有することにより、汚れがたまりやすく且つ汚れを落としにくい凹状の表面部分に汚れが付着しにくくなるので、清浄性を保つことができ、しかも、光触媒層は常時利用者に接触する他の表面部分には露出していないため、利用者の肌や衣服が光触媒層に接触して悪影響を受ける可能性を低減できるとともに、擦れなどによって摩滅したり剥離したりする部分に光触媒層が露出しないように構成できるので、光触媒層が部分的に消失することによる時計の外観に与える影響も少なくなる。
【００１２】
本発明において、前記凹状の表面部分は、通常の使用態様では利用者と接触しない部分であることが好ましい。これによれば、利用者が光触媒層に接触して悪影響を受ける可能性をさらに低減できる。
【００１３】
ここで、通常の使用態様では利用者と接触しない部分とは、利用者の人体、若しくは、利用者が身に着けている衣服が、時計を装着したり、時計を把持したり、操作したり、着脱作業をしたりするなどの時計の必然的な利用態様であれば接触することができない程度に凹状に構成されたものを意味する。したがって、ピンの先や爪の先などを意図的に挿入することによりはじめて触ることのできる部分は、上記の通常の使用態様では利用者と接触しない部分に含まれる。
【００１４】
本発明において、前記他の表面部分には前記光触媒層が形成されていないことが好ましい。このように他の表面部分に光触媒層が形成されていないことにより、利用者への悪影響を完全に防止できる。
【００１５】
本発明において、前記他の表面部分の少なくとも一部には前記光触媒層が形成され、当該光触媒層は前記他の表面部分において光触媒機能を有しない保護膜で覆われていることが好ましい。他の表面部分の少なくとも一部に形成された光触媒層が保護膜で覆われていることにより、利用者の肌や衣服にほとんど影響を与えないように構成できる。また、この場合には、他の表面部分にも光触媒層を形成することができるので、光触媒層の形成範囲を上記の凹状の表面部分に厳密に限定する必要がなくなり、製造が容易になる。さらに、凹状の表面部分と他の表面部分との間の領域（境界領域）が存在する場合には、当該領域における清浄性をも確保することが容易になる。なお、保護膜は利用者（人体若しくは衣服）に対して無害な素材で構成されることが好ましい。
【００１６】
本発明において、前記凹状の表面部分は、装着バンドを構成する駒部品の連結側の端面部分であることが好ましい。これによれば、装着バンドを構成する駒部品のうち、当該駒部品における他の駒部品と連結される側の端面部分、或いは、当該駒部品における時計本体や連結具（美錠など）と連結される側の端面部分は、通常の使用態様では利用者に接触することがないとともに汚れが溜まりやすい部分であるため、当該部分に光触媒層を形成しておくことによって、悪影響なしに汚れの発生を効果的に防止できる。
【００１７】
本発明において、前記凹状の表面部分は、裏蓋の外縁部分であることが好ましい。裏蓋の外縁部分は、時計ケースとの間に構成される凹状の表面部分の一部を構成することになるので、上記と同様の効果を得ることができる。
【００１８】
本発明において、前記凹状の表面部分は、時計ケースにおける裏蓋取付部に対して外周側に隣接する部分であることが好ましい。時計ケースの裏蓋取付部の外周側に隣接する部分は、裏蓋との間に構成される凹状の表面部分の一部を構成することになるので、上記と同様の効果を得ることができる。
【００１９】
本発明において、前記凹状の表面部分は、リュウズにおける時計ケースに対向配置される内側面部分であることが好ましい。これによれば、リュウズの内側面部分は、時計ケースとの間に構成される凹状の表面部分の一部を構成することになるため、上記と同様の効果を得ることができる。
【００２０】
本発明において、前記凹状の表面部分は、他の部品が対向する時計ケースの突合せ面であることが好ましい。時計ケース本体とガラス縁、時計ケース本体と回転ベゼルなどのように、２以上のケース部品が対向する突合せ面は、僅かな隙間を有しているため、時計において凹状の表面部分となる部分であることから、上記と同様の効果を奏することができる。
【００２１】
本発明において、前記光触媒層は酸化チタンで構成されていることが好ましい。太陽光や照明光などの日常の光で高い光触媒機能を発揮することのできる材料としては、酸化チタンが最も好ましい。特に、高い光触媒機能を得るためには、アナターゼ型の二酸化チタンを主として用いることが望ましい。
【００２２】
次に、本発明の時計は、上記のいずれかに記載の時計用外装部品を備えたものである。本発明の時計は、凹状の表面部分に限定して露出する光触媒層を有するものであるので、上述の効果を奏することができる。時計としては、腕時計、懐中時計、ネックレス型の提げ時計などの携帯時計が挙げられる。また、置時計、掛け時計などであっても構わない。
【００２３】
ここで、上記時計において、前記時計用外装部品の間に防水パッキンが配置され、該防水パッキンの当接部分には前記光触媒層が形成（露出）されていないことが好ましい。これによれば、光触媒層は超親水性に優れることから水分を引き寄せて合成ゴムや合成樹脂等からなる防水パッキンと光触媒層との接触部付近を通して防水パッキン内方に水分を導いてしまい防水性を損ねることを防止することが出来、また有機物で防水パッキンを構成する場合は光触媒作用によって防水パッキンを損傷することがなく、しかも、その光触媒作用によって防水性が低下するといったことを防止できる。
【００２４】
次に、本発明の装身具は、凹状の表面部分に限定された露出範囲を備えた光触媒層を有することを基本とする。このような装身具としては、上記の携帯時計の他に、指輪、ブレスレット、ネックレス、ネクタイピン、イヤリング、ヘッドバンド（ヘアバンド）、めがね、ヘアピン、ピアス、ライターなどが挙げられる。
【００２５】
また、本発明の別の装身具は、利用者に装着される装身具であって、凹状の表面部分に露出範囲を備えた光触媒層を有し、装着時において常時利用者と接触する他の表面部分には前記光触媒層が少なくとも露出していないことを特徴とする。例えば、凹状の表面部分に前記光触媒層が形成されるものであるが、その光触媒層装着は、利用者が常時は接触しな凹状内方の表面部分に形成されるものである。
【００２６】
これらの場合に、上記と同様に、前記凹状の表面部分は、通常の使用態様では利用者と接触しない部分であることが好ましい。
【００２７】
なお、上記光触媒層の設けられる表面部分を構成する時計用外装部品、時計、或いは、装身具を構成する素材は、黄銅、ステンレス鋼、アルミニウムおよびその合金、チタンおよびその合金、金およびその合金、銀およびその合金などの各種の金属や、ＡＢＳ樹脂、ポリカーボネート樹脂、アクリル樹脂、ポリアセタール樹脂などの各種のプラスチックや、セラミックスや無機ガラスなど、如何なるものであっても構わない。また、上記構成部材の素材が、プラスチックや合成ゴム等の有機物である場合は、その表面に無機ガラスコート等の非有機物保護膜を形成してから上記光触媒膜を形成すると、光触媒膜により有機物の構成部材が損傷されることがなく好ましい。
【発明の効果】
【００２８】
本発明によれば、利用者に悪影響を与えることなく、汚れの付着を防止でき、殺菌性、坑菌性に優れた効果を奏し得る。
【発明を実施するための最良の形態】
【００２９】
次に、添付図面を参照して本発明の実施形態について詳細に説明する。図１は本発明に係る時計若しくは装身具の実施形態である時計１００の全体を示す概略斜視図であり、図２は時計１００の本体の概略縦断面図である。
【００３０】
この時計１００は、腕時計或いは腕時計型の電子機器であり、時計本体１１０と装着バンド１２０とを有する。時計本体１１０は、時計ケース１０１、窓部材１０２、裏蓋１０３及び窓枠（ガラス縁）１０４などで構成されるケース体の内部に、ムーブメント１１１、文字板１１２及び指針１１３を収容してなる。ムーブメント１１１は、ケース体の内部において中枠１１４によって支持固定されている。時計ケース１０１の側面部に突設されたリュウズ１０５は、時計ケース１０１を貫通して上記のムーブメント１１１に接続されている。文字板１１２の内側に太陽電池を配置し、文字板１１２をガラス、石英、サファイア、アクリル樹脂等の合成樹脂などの透明または半透明部材で構成し、光が透過する程度に薄膜が形成され装飾表面処理が施されても良い。
【００３１】
時計ケース１０１、裏蓋１０３及び窓枠１０４は、黄銅、真鍮、ステンレス鋼、チタン合金、マグネシウム合金などの各種金属及び合金、或いは、ＡＢＳ樹脂、ポリカーボネートなどの各種合成樹脂、アルミナ等のセラミックスなどで構成することができる。窓部材１０２は、ガラス、石英、サファイア、アクリル樹脂等の合成樹脂などの透明または半透明部材で構成される。裏蓋１０３は、ガラス、石英、サファイア、アクリル樹脂等の合成樹脂などの透明または半透明部材で構成されてもよく、その場合は、ムーブメント１１１を外側から覗くことができ、その動きを見る楽しみをもたらす。
【００３２】
本実施形態において、時計本体１１０における、時計ケース１１１、窓部材１０２、裏蓋１０３、窓枠１０４及びリュウズ１０５は、本発明の時計用外装部品である。また、装着バンド１２０もまた本発明の時計用外装部品である。
【００３３】
本実施形態では、上記の時計用外装部品のうちの一部の表面部分に光触媒層が形成され、他の表面部分には光触媒層が形成されていない。この光触媒層は、光触媒機能を有する光触媒材料で構成される層である。光触媒機能とは、紫外線等の光を受けてそれ自身は変化せずに化学反応を促進させる機能であり、その典型例は、半導体材料のバンドギャップ以上のエネルギーを有する光の照射により光励起が発生して電子・正孔対が発生し、これによって生ずる酸化力によって有機物の分解や殺菌、坑菌を行う機能である。なお、光触媒機能を呈する光としては、太陽光、蛍光灯などの紫外線が好ましいが、光触媒の物質によってはその他の光、例えば赤外線でも光触媒作用を呈すればどのような光であってもよいものである。
【００３４】
光触媒材料としては、酸化チタン、酸化鉄、酸化タングステン、酸化スズ、酸化亜鉛、チタン酸ストロンチウムなどが挙げられる。これらの中でも、酸化チタンは強い光触媒能を有し、さらにアナターゼ型の二酸化チタンを主成分とするものが触媒効率や安定性の観点から見て最も好ましい。
【００３５】
光触媒層の成膜方法としては、光触媒材料を例えば粉末状の状態で含む塗膜形成塑性物を塗布して８０〜２５０度程度に加熱して焼付ける方法、蒸着法やスパッタリング法により物理的に成膜する方法、ＣＶＤなどの化学気相法により化学反応を伴う形で成膜する方法、金属アルコキシドからゾルゲル法で形成する方法などを用いることができる。また、光触媒材料を予めコーティングしてなるフィルムを貼着する方法など、予め成膜したフィルム若しくはシート素材を接着してもよい。成膜する基材表面が純チタン若しくはチタン合金であれば、陽極酸化法によって光触媒層を形成することもできる。
【００３６】
なお、光触媒層を時計用外装部品、時計、装身具の一部に限定して形成する方法としては、フィルムや有機膜などでマスキングを行った上で成膜する方法が一般的である。ただし、光触媒層を限定せずに成膜した後に、限定して形成する範囲以外の部分の光触媒層をエッチングなどによって除去してもよい。
【００３７】
光触媒層の厚さは、０．１〜１．５μｍの範囲内であることが好ましく、特に、０．１〜０．５μｍの範囲内であることが望ましい。上記範囲を下回ると、光触媒機能を充分に発揮することができなくなり、上記範囲を上回ると、クラックや剥離が生ずるなど、高品位の成膜が困難になったり、外観が悪化したりする。ただし、光触媒層の厚さは、上記範囲に限定されるものではなく、光触媒作用が行われる厚さ範囲でよい。
【００３８】
図３は、本実施形態における共に金属からなる時計ケース１０１と裏蓋１０３の境界部分を拡大して示す拡大部分断面図である。本実施形態では、時計ケース１０１の裏蓋取付部（裏側開口縁）の外周側に隣接する裏蓋隣接部分１０１ｅと、裏蓋１０３の外縁部分１０３ｅとが凹状の表面部分を構成し、これらの表面上にそれぞれ光触媒層１０８が形成されている。この裏蓋隣接部分１０１ｅ及び外縁部分１０３ｅは、時計本体１１０の外面のうち、通常の使用態様では利用者が接触することのない領域となっている。すなわち、利用者が意図的に爪の先などを接触させるなどの特殊な状況を別として、時計１００を用いる場合に必然的な行為によっては利用者の肌や衣服が接触しない領域である。なお、パッキン１１５は、時計ケース１０１と裏蓋１０３の間の防水性を確保するためのものである。
【００３９】
上記時計ケース１０１の裏蓋隣接部分１０１ｅ上に形成された光触媒層１０８と、裏蓋１０３の外縁部分１０３ｅ上に形成された光触媒層１０８との間には、時計ケース１０１に裏蓋１０３を装着した状態で相互に隙間を生ずる可能性もあるので、上記の裏蓋隣接部分１０１ｅ上の光触媒層１０８を、裏蓋１０３が直接接触する表面領域まで延長して形成しておくか、或いは、上記の外縁部分１０３ｅ上の光触媒層１０８を時計ケース１０１が直接接触する表面領域まで延長して形成しておいてもよい。
【００４０】
なお、光触媒層１０８は、上記の裏蓋隣接部分１０１ｅと外縁部分１０３ｅのいずれか一方に形成されていてもよい。すなわち、光触媒層１０８は、時計１００の凹状の表面部分に限定して形成されていればよいので、凹状の表面部分の全てに形成されている必要はなく、当該部分の少なくとも一部に形成されていればよい。
【００４１】
上記の光触媒層１０８が形成されている表面部分は、時計本体１１０において、凹状に構成されることによって通常の使用態様では利用者が接触不能となる領域であるので、利用者の肌や衣服に悪影響を及ぼす恐れがない。また、上記の領域は、その凹形状に起因して、汚れがたまりやすく、かつ、その汚れが除去しにくい場所でもあるので、光触媒層１０８によって汚れが分解されることにより、時計本体１１０の清掃が不要になるか、或いは、きわめて容易に清掃を行うことができるようになる。例えば、水洗すれば、汚れが容易に除去される。
【００４２】
図４は、本実施形態のリュウズ１０５の近傍を拡大して示す拡大部分断面図である。リュウズ１０５は、時計ケース１０１に接合されてなるパイプ１０７の軸孔を介して時計ケース１０１の内部のムーブメントに接続されている。ここで、時計ケース１０１の外面のうちリュウズ１０５の内側に配置される外面部分１０１ｆと、リュウズ１０５における上記外面部分１０１ｆに対向配置される内側面部分１０５ｆと、この内側面部分１０５ｆに隣接するパイプ１０７の外周面部分１０７ｆとは、凹状に構成されることにより、通常の使用態様では利用者が接触不能な表面部分を構成している。そして、上記外面部分１０１ｆ、内側面部分１０５ｆ及び外周面部分１０７ｆ上には光触媒層１０８が形成されている。
【００４３】
このとき、光触媒層１０８は、リュウズ１０５の最外径部である外周面１０５ａを越えないように、当該外周面１０５ａと径方向の位置が同じかそれよりも内側の範囲内に限定して構成することが好ましい。また、上記の凹状に構成された表面部分に外光が入射しやすいように、リュウズ１０５の外周面１０５ａと、内側面部分１０５ｆとの間の角部に開放面部１０５ｂを形成することが望ましい。この開放面部１０５ｂを設けることで、凹状部分に外光が入射しやすくなり、光触媒層１０８の光触媒作用が促進される。なお、開放面部１０５ｂは、面取り状に平坦に構成された傾斜面でもよく、或いは、丸みを有する角部となるように構成された円弧状の曲面であってもよい。さらに、上記構成においてリュウズ１０５ａの内側面部分１０５ｆに光触媒層１０８を形成しないようにすると、リュウズ１０５を引き出す際、指先や爪を内側面部分１０５ｆに引っ掛けても、指先や爪が光触媒層に接触せず、悪影響を受けることがなくなる。
【００４４】
ここで、光触媒層１０８は、上記と同様に、リュウズ１０５におけるパイプ１０７と対向する内面部分や、パイプ１０７におけるリュウズ１０５と対向する外周面部分にも延長して形成されていてもよい。ただし、リュウズ１０５とパイプ１０７との間に介在するパッキン１１６とは接触しない領域に構成されていることが望ましい。このことは、リュウズ近傍に限らず、他の任意の場所に設けられたパッキン（例えば、図３に示すパッキン１１５など）についても同様である。これは、パッキンの表面が光触媒層により分解されること、及び、酸化チタンなどの光触媒層には親水作用があるため、光触媒層が水分を引き込むことによって防水パッキンに接する光触媒層を介して内方に水分が浸入することにより、その密閉機能（防水機能）が失われるといった事態が生じないようにするためである。
【００４５】
上記外面部分１０１ｆ、内側面部分１０５ｆ及び外周面部分１０７ｆを含む領域（凹状の表面部分）においても、通常の使用態様では利用者が接触できないので、利用者に悪影響を与える心配はなく、また、当該領域には汚れがたまりやすく、かつ、その汚れを除去しにくい場所であるので、当該領域に光触媒層を設けることはきわめて有効である。
【００４６】
なお、図４に示す部分においても、上記と同様に、光触媒層１０８は、上記外面部分１０１ｆ、内側面部分１０５ｆ及び外周面部分１０７ｆのうち、いずれか一つに形成されていればよい。
【００４７】
図５は、本実施形態における時計ケース１０１と窓枠１０４の係合部分を中心として示す拡大部分断面図である。窓枠１０４は、時計ケース１０１に対して圧入されることにより、スナップ係合した状態、或いは、食い付き係合した状態となっている。時計ケース１０１と窓枠１０４との間にはわずかな隙間が存在し、この隙間を介して対向する突合せ面１０１ｇと１０４ｇに、光触媒層１０８が形成されている。この光触媒層１０８は、突合せ面１０１ｇ、１０４ｇの全てに形成されている必要はなく、それらの突合せ面のうち、外端部側にのみ形成されていればよい。すなわち、突合せ面１０１ｇ、１０４ｇの外端部から内側へ任意の距離だけ伸びるように光触媒層１０８が形成されていればよい。
【００４８】
なお、これらの突合せ面１０１ｇと１０４ｇの間の隙間は、通常１０〜５０μｍ程度あるので、厚さ１．５μｍ以下の光触媒層が形成されていても何等支障はない。また、光触媒層１０８は、突合せ面１０１ｇと１０４ｇのうち少なくとも一方に設けられていればよい。
【００４９】
上記の時計ケース１０１の突合せ面１０１ｇと、窓枠１０４の突合せ面１０４ｇとの間の隙間には、汚れが溜まりやすく、かつ、その汚れを除去しない点で上記と同様であり、また、通常の使用態様ではこれらの突合せ面１０１ｇ、１０４ｇに利用者が触れることはできない点でも同様である。したがって、利用者に悪影響を与えることなく、汚れの付着を防止できる。
【００５０】
なお、突合せ面１０１ｇと１０４ｇの少なくとも一方の外端部に、外側へ開くように形成された、面取り状に構成された傾斜面若しくは円弧状に丸みが付けられた曲面で構成された開放端部を設けることにより、突合せ部内に外光が入射しやすくなる。
【００５１】
図６は、上記実施形態と異なる態様の構成例を示す拡大部分断面図である。この構成例において、上記実施形態と同様の部分には同一符号を付し、それらの説明は省略する。また、図示されていない部分については、適宜に構成できることはもちろんであるが、たとえば、上記実施形態と同様に構成できる。
【００５２】
この構成例において、時計ケース１０１に装着される裏蓋１０３′には、少なくとも外面部分全体に亘って光触媒層１０８′が形成されている。なお、図示例では、内面部分も含め、裏蓋１０３′の全表面部分に光触媒層１０８′が形成されている様子が示してある。このようにすると、光触媒機能を欠落なく全ての部分において生ぜしめることができる。また、裏蓋１０３′の形状加工作業や表面処理作業を完了した後に、該表面と内表面の全面に光触媒層を形成してもよい。その場合には、光触媒層の形成作業を一括的に行うことができるため、大量生産を容易に行うことができる。
【００５３】
この例では、裏蓋１０３′の外面部分のうち、利用者が装着時において常時接触している部分には、保護膜１０９′が光触媒層１０８′を覆うように設けられている。また、上記部分の周囲にある傾斜状の外周部分においても光触媒層１０８′が保護膜１０９′で覆われている。さらに、上記実施形態と同様の外縁部分（この部分は、時計本体１１０の凹状の表面部分の一部である。）においては光触媒層１０８′が露出している。なお、パッキン１１５が配置される部分には、光触媒層の上に保護膜１０９′が形成されるか、光触媒層が形成されないように除去することが好ましい。
【００５４】
保護膜１０９′は、酸化シリコン（ＳｉＯ２）、酸化アルミニウム（Ａｌ２Ｏ３）、酸化タンタル（Ｔａ２Ｏ５）などの無機酸化膜や、アクリル樹脂などの合成樹脂で構成できる。保護膜１０９′は、人体や衣服などに無害な素材で構成されていることが好ましい。成膜方法は、蒸着法、スパッタリング法、ＣＶＤ法などのほか、未硬化の塗膜形成組成物を塗布後に焼成若しくは乾燥する方法が挙げられる。また、保護膜１０９′を部分的に形成する方法としては、保護膜１０９′を付けない部分にマスキング剤を塗布し、或いは、マスキングテープを貼り付けるなどのマスキング処理を施してから保護膜１０９′を形成し、その後、上記マスキングを剥離するなどのマスキング方法、或いは、保護膜１０９′を全面に成膜した後に不要部分を剥離やエッチングなどにより除去する方法が挙げられる。
【００５５】
例えば、保護膜１０９′を形成する方法の具体的な一例を挙げると、ガラスコーティング液をスプレー法、ロールコート法などによって塗布し、これを乾燥することによって透明なコーティング層を形成できる。このガラスコーティング液としては、奥野製薬工業社製の透明ガラスコーティング剤、商品名：ＣＲＣコート１００が挙げられる。この種のガラスコーティング液（原液）は、例えば、ナトリウム珪酸塩、カリウム珪酸塩等のアルカリ珪酸塩の固形分１００重量部と、平均粒径が４０μｍ以下程度の超微粒子状シリカ５〜１００重量部とを、好ましくは５０〜１００℃、より好ましくは８０〜１００℃の温度で加熱溶解し、約１〜２時間攪拌し、超微粒子状シリカをアルカリ珪酸塩に溶解（分散）させることによって生成したものである。実際には、上記の原液を適宜水で希釈したものを塗布してもよい。なお、保護膜１０９′としては、酸化アルミニウム膜等の硬質な無機膜を形成してもよい。
【００５６】
本構成例では、光触媒層１０８′のうち、利用者の肌や衣服が装着時において常時触れている領域にある部分が保護膜１０９′によって被覆されているので、光触媒層１０８′の利用者への悪影響を防止することができる。ここで、光触媒層１０８′が露出している領域（外周部分１０３ｇ′）は、装着時において常時利用者に接触している領域以外の領域である。この領域は、通常の使用態様であっても、利用者が手を触れる可能性が存在する領域ではあるが、常時接触しているわけではないので、大きな問題が生ずることはない。
【００５７】
図７は、上記実施形態と異なる態様の構成例を示す拡大部分断面図である。この構成例において、上記実施液体と同様の部分には同一符号を付し、それらの説明は省略する。また、図示されていない部分については、適宜に構成できることはもちろんであるが、たとえば、上記実施形態と同様に構成できる。
【００５８】
この構成例では、時計ケース１０１″の上部に、回転ベゼル１０４″が回転可能に取り付けられている。そして、時計ケース１０１″と回転ベゼル１０４″との間には、所定の隙間が存在している。この隙間は、回転ベゼル１０４″を回転可能な状態に保つために、時計ケース１０１″と回転ベゼル１０４″の少なくとも一方に対して摺動自在に配置されたばねやパッキンなどで構成される弾性部材１０４ｐ″により維持されている。
【００５９】
時計ケース１０１″における回転ベゼル１０４″と対向する内面部分１０１ｈ″と、この内面部分に対向する回転ベゼル１０４″の内面部分１０４ｈ″には、光触媒層１０８″が形成されている。ただし、光触媒層１０８″は、弾性部材１０４ｐ″が接する部分には形成されていない。これは、弾性部材１０４ｐ″の表面の一部が光触媒機能によって分解される可能性があるからである。
【００６０】
なお、この構成例においても、時計ケース１０１″の内面部分１０１ｈ″と、この内面部分に対向する回転ベゼル１０４″の内面部分１０４ｈ″の少なくとも一方に光触媒層１０８″が形成されていればよい。また、光触媒層１０８″は、時計ケース１０１″と回転ベゼル１０４″との対向部分のうち、少なくとも外側に連通する外端部分にのみ形成されていればよい。これは、実際に汚れが付着したり、ごみが侵入したりするのは、上記外端部分であるためである。また、内面部分１０１ｈ″や１０４ｈ″の外端部に、外側に開くように形成された、面取り状に構成された傾斜面や円弧状に丸みを持たせた曲面で構成された開放端部を形成しておくと、突合せ部内に外光が入射しやすくなる。
【００６１】
図８は、上記実施形態の装着バンド１２０の一部を拡大して示す拡大一部断面平面図である。この装着バンド１２０は、複数のバンド駒１２１が連結軸１２２を介して延長方向（図示左右方向）に連結されてなる。バンド駒１２１は、装着バンド１２０の延長方向一端に設けられた端面部１２１ｓと、延長方向他端に設けられた端面部１２１ｔとを有し、その端面部１２１ｓが、隣接する他のバンド駒１２１の端面部１２１ｔ、或いは、図示しない連結具（例えば、美錠など）の端部に対向配置され、その端面部１２１ｔが、隣接する他のバンド駒１２１の端面部１２１ｓ、或いは、時計本体１１０の端部に対向配置される態様で連結されている。連結軸１２２は、隣接する一対のバンド駒１２１に幅方向に穿設された連結孔１２１ａと１２１ｂを挿通した状態で、隣接する一対のバンド駒１２１のうちの一方に保持固定されている。
【００６２】
装着バンド１２０においては、バンド駒１２１の端面部１２１ｓと、これに隣接する他のバンド駒１２１の端面部１２１ｔとが僅かな隙間を介して対向配置されている。したがって、端面部１２１ｓ，１２１ｔは、通常の使用態様では利用者が接触不能な凹状の表面部分となっている。そして、これらの端面部１２１ｓ、１２１ｔ上には、光触媒層１０８が形成されている。
【００６３】
図９は、隣接する一対のバンド駒１２１の端面部が対向配置される部分を示す拡大断面図である。この場合、光触媒層１０８は、バンド駒１２１の表側においては端面部１２１ｓ、１２１ｔの外端部において外側に露出するように形成されているが、装着時において利用者に接触する裏側においては、バンド駒１２１の裏側面上まで到達しないように構成されている。したがって、光触媒層１０８は、装着時において利用者の肌若しくは衣服が常時接触することがない範囲に限定して形成されている。
【００６４】
より具体的には、バンド駒１２１の端面部１２１ｓ、１２１ｔの表面側及び裏面側の角部には、外側へ開くように構成された開放端部１２１ｇ、１２１ｈが形成されている。これらの開放端部１２１ｇ、１２１ｈは、図示例のように面取り状に構成された傾斜面であってもよく、或いは、丸みを有する角部となるように円弧状に構成された曲面であってもよい。ここで、表面側の開放端部１２１ｇ上には光触媒層１０８が形成されているが、裏面側の開放端部１２１ｈ上には光触媒層１０８が形成されていない。したがって、装着バンド１２０を腕に装着しても、利用者の肌若しくは衣服が光触媒層１０８に接触することはない。
【００６５】
図１０は、上記装着バンドの異なる例を示すものである。この場合、隣接するバンド駒１２１′の相互に対向配置される端面部１２１ｓ′と１２１ｔ′は、装着バンドの表側と裏側の外端部において隙間が小さくなり、その他の部分において隙間が大きくなるように、内方に凹みが構成されている。そして、光触媒層１０８′は、端面部１２１ｓ′と１２１ｔ′のうち、外端部を除く部分（隙間が大きくなった部分）に限定して形成されている。このようにすると、光触媒層１０８′を利用者が触ることが通常の使用態様では全く不可能になるので、光触媒層１０８′による利用者への悪影響を完全になくすことができる。
【００６６】
なお、この装着バンド１２０において、光触媒層１０８は、相互に対向配置される端面部１２１ｓ、１２１ｔのうちいずれか一方にのみ形成されていてもよい。また、図示しないが、バンド駒１２１と連結軸１２２との間や、隣接するバンド駒１２１間にパッキンなどの弾性部材が配置されている場合には、この弾性部材の配置領域には光触媒層を設けないことが望ましい。
【００６７】
本実施形態では、時計の凹状の表面部分に光触媒層が露出しているとともに、装着時において常時利用者と接触している部分には光触媒層が露出していないので、利用者に光触媒作用に起因する悪影響を与える恐れがないとともに、凹状の表面部分の汚れを低減できる。また、経時変化により光触媒層が摩滅若しくは剥離する恐れもなく、それが外観に与える影響も低減できる。
【００６８】
図１１は、図５に示す窓枠を有する外装構造の変形例を示す拡大断面図である。この例では、時計ケース１０１′と窓枠１０４′との間の突合せ部において、時計ケース１０１′の突合せ面１０１ｇ′及び窓枠１０４′の突合せ面１０４ｇ′が外側に向けて開くように構成されている。図示例の場合、突合せ面１０４ｇ′は図示水平面に対して時計回りに角度αだけ傾斜し、突合せ面１０１ｇ′は図示水平面に対して反時計周りに角度βだけ傾斜している。なお、角度α及びβは、５〜３０度が好ましく、１０〜２０度がより好ましい。角度が小さすぎると下記効果が得られにくくなり、角度が大きすぎると外観が悪化する。
【００６９】
このように、突合せ部における対向する一対の突合せ面１０１ｇ′及び１０４ｇ′を外側へ向けて開くように構成すること（上記の角度αとβの少なくとも一方を設けること）で、外光が突合せ部に入射しやすくなり、光触媒層１０８′の光触媒作用が活発に行われるようになる。また、この場合に、突合せ面１０１ｇ′と１０４ｇ′の少なくとも一方の外端部に、外側へ開くように形成された、面取り状に構成された傾斜面若しくは円弧状に丸みが付けられた曲面で構成される開放端部を設けることにより、さらに外光が入射しやすくなり、光触媒作用をさらに促進させることができる。
【００７０】
図１２は、図８に示す装着バンドの変形例を示す一部断面平面図である。この装着バンド１２０′においては、上記と同様のバンド駒１２１′及び連結軸１２２′が設けられ、バンド駒１２１′には連結方向の端面部１２１ｓ′及び１２１ｔ′が設けられている。この例で上記と異なる点は、端面部１２１ｓ′と１２１ｔ′の幅方向の両端部に、幅方向外側へ開くように形成された、面取り状に構成された傾斜面若しくは円弧状に丸みが付けられた曲面で構成される開放端部１２１ｓｘ′及び１２１ｔｘ′が形成されていることである。この開放端部１２１ｓｘ′及び１２１ｔｘ′を設けることにより、端面部１２１ｓ′と１２１ｔ′の間に外光が入射しやすくなり、光触媒作用をさらに促進させることができる。
【００７１】
尚、本発明は、時計外装部品や装身具などに凹状部が形成されるならば外表面に限定されるものではなく、光が届く時計や装身具の内部の表面に光触媒層を形成してもよい。言い換えれば、外方より光が届くことから外方より見える外観部材の表面に光触媒層を形成することができる。上記光が届く時計や装身具の内部であれば、通常は利用者が接する事が無いので肌に作用して肌が損傷することがない。例えば、図２においては、利用者が通常は接することがない窓部材１０２の内面、文字板１１２の表面、指針１１３の外表面、透明状の文字板１１２の内部に配置された太陽電池の表面でもよく、透明または半透明部材で形成されるならば裏蓋１０３の内表面、時計ケース１０１の内面、窓枠（ガラス縁）１０４の内面、ムーブメント１１１の構成部材の表面であっても良い。またデジタル時計の見切り部材の表面であってもよい。それらの表面、または内面に光触媒層を形成しておくと、組立時や分解時において、作業者が触れて汚れを付けてしまったり、外部の湿気にさらされたり、または通常使用時に空気や湿気が侵入した際にも、光触媒作用によって有機物が分解され、あるいは抗菌作用によって汚れや変色が防止される。なお、窓部材１０２の内面に光触媒層を形成する場合は光が透過する必要性および外観が損なわれないためには比較的薄く形成する必要がある。また、窓部材１０２の内面、文字板１１２の表面、指針１１３の外表面に光触媒膜を形成することによって着色することもでき装飾性を高めることも可能となる。また、構成部材の物質が、合成樹脂、合成ゴム等の有機物である場合は、その表面に無機ガラスコート等の無機物質の保護膜を形成してから上記光触媒膜を形成すると、光触媒膜により有機物の構成部材が損傷されることがなく好ましい。
また、本発明の時計用部品、時計及び装身具は、上述の図示例にのみ限定されるものではなく、本発明の要旨を逸脱しない範囲内において種々変更を加え得ることは勿論である。例えば、上記各実施形態では、基本的に腕時計（ダイバーズウォッチ、ストップウォッチなどの腕時計型機器を含む。）として構成してあるが、腕時計以外の、懐中時計、置き時計、ブレスレット、ヘアバンド、ネックレス、心臓ペースメーカー、携帯用薬液注入装置、携帯型血圧測定装置などの種々の時計若しくは装身具に適用することができる。
【図面の簡単な説明】
【００７２】
【図１】実施形態の時計１００の概略斜視図。
【図２】実施形態の時計１００の概略縦断面図。
【図３】実施形態の時計１００の時計本体の一部を示す拡大部分断面図。
【図４】実施形態の時計１００の時計本体の他の一部を示す拡大部分断面図。
【図５】実施形態の時計１００の時計本体のさらに異なる一部を示す拡大部分断面図。
【図６】実施形態とは異なる構成例の拡大部分断面図。
【図７】実施形態とは異なる他の構成例の拡大部分断面図。
【図８】実施形態の時計１００の装着バンドの一部を示す拡大一部断面平面図。
【図９】実施形態のバンド駒の対向部分を示す拡大部分断面図。
【図１０】実施形態のバンド駒の対向部分の他の構成例を示す拡大部分断面図。
【図１１】図５に示す構造の変形例を示す拡大断面図。
【図１２】図８に示す構造の変形例を示す拡大一部断面平面図。
【符号の説明】
【００７３】
１００…時計（腕時計）、１１０…時計本体、１０１…時計ケース、１０１ｅ…裏蓋隣接部分、１０１ｆ…外面部分、１０１ｇ…突合せ面、１０１ｈ″…内面部分、１０２…窓部材、１０３，１０３′…裏蓋、１０３ｅ…外縁部分、１０３ｇ′…外周部分、１０４…窓枠、１０４ｇ…突合せ面、１０４″…回転ベゼル、１０４ｈ″…内面部分、１０５…リュウズ、１０５ｆ…内側面部分、１０７…パイプ、１０７ｆ…外周面部分、１０８，１０８′，１０８″…光触媒層、１２０…装着バンド、１２１…バンド駒、１２２…連結軸、１２１ｓ、１２１ｔ…端面部
【図１】
2005241636.tif 000003
【図２】
2005241636.tif 000004
【図３】
2005241636.tif 000005
【図４】
2005241636.tif 000006
【図５】
2005241636.tif 000007
【図６】
2005241636.tif 000008
【図７】
2005241636.tif 000009
【図８】
2005241636.tif 000010
【図９】
2005241636.tif 000011
【図１０】
2005241636.tif 000012
【図１１】
2005241636.tif 000013
【図１２】
2005241636.tif 000014